(57)【特許請求の範囲】
【請求項１】
欠如歯部の顎骨内に形成された埋入孔内に埋入される部分の外周面にスクリュー(1a)が設けられているスクリュー型インプラントフィクスチャー(１)を歯科インプラント用モーターを使用して欠如歯部の顎骨内に形成された埋入孔内に埋入させるための歯科インプラント埋入用治具であって、
スクリュー型インプラントフィクスチャー(１)の口腔内側に設けられた多角形凸部(1c)に係合する多角形凹部(2b)が形成された筒状部(2a)と、該筒状部(2a)の多角形凹部(2b)と反対側に設けられた多角形状凸部(2c)と、該多角形状凸部(2c)の口腔内側に設けられていて外径が該多角形状凸部(2c)の対辺距離以下となる断面半円形の突起部(2e)が端部に設けられた円筒状部(2d)とから成り、その全長に亘って貫通穴(2f)が形成されている中間治具(２)と、
該中間治具(２)の貫通穴(2f)とスクリュー型インプラントフィクスチャー(１)の口腔内側に設けられた多角形凸部(1c)とを貫通してスクリュー型インプラントフィクスチャー(１)の長軸に沿って螺設された雌ねじ部(1b)に雄ねじ部(3a)を螺合されて該中間治具(２)をスクリュー型インプラントフィクスチャー(１)に固定する頭部(3b)が該中間治具(２)の突起部(2e)より小さな中間治具固定ねじ(３)と、
一端部に該中間治具(２)の多角形状凸部(2c)に係合する多角形状凹部(4a)と該多角形状凹部(4a)の奥部に該多角形状凹部(4a)の対辺より大きな径の円筒状空間部(4b)とを有し、他端部に歯科用モーターに装着可能な把持柄部(4c)を有する埋入治具本体(４)と、
内面に前記中間治具(２)の突起部(2e)に沿う凹部(5a)を有する円筒形でその軸方向に並行なすり割り溝(5b)を有し、該すり割り溝(5b)の端面(5d)の直径が該埋入治具本体(４)の多角形状凹部(4a)の対辺距離より大きく、該すり割り溝(5b)の設けられていない端部(5c)が該埋入治具本体(４)の多角形状凹部(4a)の対辺距離より小さな直径を有していて該端部(5c)が該円筒状空間部(4b)の奥部に位置するように該埋入治具本体(４)の円筒状空間部(4b)内に挿入されている中間治具保持用カラー(５)とから成ることを特徴とする歯科インプラント埋入用治具。
【請求項２】
中間治具保持用カラー(５)のすり割り溝(5b)の設けられていない端部(5c)が円筒形の端部を閉塞する壁面を成している請求項１に記載の歯科インプラント埋入用治具。
【請求項３】
中間治具保持用カラー(５)の円筒形の端部を閉塞する壁面にビス穴が穿設されており、このビス穴に対応する埋入治具本体(４)の円筒状空間部(4b)の奥部に中間治具保持用カラー(５)固定用ビス用の雌ねじ部が螺設されている請求項２に記載の歯科インプラント埋入用治具。
【発明の詳細な説明】
【０００１】
【産業上の利用分野】
本発明は、歯科インプラント治療を行うに際し、欠如歯部の顎骨内に形成された埋入孔内にスクリュー型インプラントフィクスチャーを歯科インプラント用モーターを使用して埋入するのに好適な歯科インプラント埋入用治具に関するものである。
【０００２】
【従来の技術】
従来、欠如歯部における歯科補綴法としては、ブリッジによる方法と、床義歯による方法とが一般に行われてきた。
しかしながら、ブリッジによる方法は、欠如歯部の両側の健全な天然歯を切削して支台とし、この支台に係合固定される金属体間に欠如歯部に位置する歯科用補綴物を固設する方法であるので、支台を形成するために健全な天然歯を切削しなければならないばかりか、欠如歯部に位置する歯科用補綴物部分には咬合圧が直接には加わらないために当該部位で骨吸収を引き起こすという欠点があった。また、床義歯による方法は、合成樹脂等で作成した義歯床に義歯を固定したものを歯科用補綴物とする方法であるが、この方法では歯科用補綴物に作用する咬合力をその床義歯に隣接する残存天然歯及び／又は口腔粘膜によって負担させるものであるので、歯科用補綴物使用中に違和感があることや、口腔粘膜組織中に散在する味覚の受容器を義歯床が覆ってしまうことによる味覚の鈍麻が生じることがあり、更には長期間の使用によって顎堤の吸収を引き起こすという重大な欠点があった。
【０００３】
そこでこれらの欠点を解消する治療方法として、欠如歯部の顎骨内に形成した埋入孔内に歯科用補綴物の維持安定装置となるインプラントフィクスチャーを埋入して天然歯における歯根の機能を代行せしめ、このインプラントフィクスチャーの口腔内側に固定されたアバットメントに歯科用補綴物の固定装置を固定して歯科用補綴物維持装置とし、この歯科用補綴物の固定装置に歯科用補綴物を固着する歯科インプラントの技術が開発され、実施されるようになってきている。
【０００４】
このような歯科インプラントによる治療方法を実施すると、口腔粘膜を覆うことなく歯科用補綴物を固定することができるので、歯科用補綴物装着時の違和感や味覚の鈍麻が生じることがなく、天然歯に似た使用感が得られ、更に顎骨には適度な咬合力が付与されるためインプラントフィクスチャーが埋入されていない場合に想定される骨吸収を最小限に抑制できるという利点があるため、この治療方法は急速な発展を遂げて単独歯欠損，２歯以上の局部欠損のみならず、無歯顎（全歯欠損）に至るまでに適用できるようになってきている。
【０００５】
この歯科インプラントによる治療方法としては、欠如歯部の顎骨内に形成された埋入孔内に埋入されたインプラントフィクスチャーが欠如歯部の顎骨に充分に結合し且つ埋入孔を形成したことによる手術部分が治癒したら、そのインプラントフィクスチャーが埋入された口腔内側の歯肉部分を再度切開してインプラントフィクスチャーの口腔内側部分に歯科用補綴物の固定装置の取付部分となるアバットメントを固定する２回法が主として採用されている。そして、このアバットメントはインプラントフィクスチャーに対して回転しないように固定される形状を成していると共に、更にその口腔内側部分に取り付けられる歯科用補綴物の固定装置が単独歯用の固定装置である場合にはその固定装置がインプラントフィクスチャーに対して回転したのでは歯科用補綴物を欠如歯部に正確に位置せしめられない現象が生じるため歯科用補綴物の固定装置を回転しないように維持する部分がアバットメントの歯科用補綴物の固定装置が装着される口腔内側部分にも設けられている。
【０００６】
このような歯科インプラントによる治療方法においては、先ず欠如歯部の顎骨内に形成された埋入孔内にインプラントフィクスチャーを埋入させる治療を行わなければならないが、インプラントフィクスチャーとしては欠如歯部の顎骨内に形成された埋入孔内に埋入される外周面にスクリューが形成されているスクリュー型インプラントフィクスチャーが近年広く使用されるようになってきており、このようなスクリュー型インプラントフィクスチャーを欠如歯部の顎骨内に形成された埋入孔内に埋入する治療は、欠如歯部の顎骨内に所定の径の穴を穿設した後にタップを用いて雌ねじを形成してそのねじ穴にスクリュー型インプラントフィクスチャーを螺入して埋入する方法と、スクリュー型インプラントフィクスチャーがセルフタップ式の場合に欠如歯部の顎骨内に所定の径の穴を穿設した後にタップによる雌ねじの形成を行わずに直接スクリュー型インプラントフィクスチャーを穿設した穴内に雌ねじを形成しながら埋入する方法とがある。
【０００７】
このいずれの方法の場合も、スクリュー型インプラントフィクスチャーをその軸方向を中心として回転させながら欠如歯部の顎骨内に穿設した穴内に埋入するのであるが、スクリュー型インプラントフィクスチャーは欠如歯部の歯肉面下にまで埋入されるものであるため、この埋入にはスクリュー型インプラントフィクスチャーの口腔内側に形成されている多角形凸部に係合する中間治具と、この中間治具をスクリュー型インプラントフィクスチャーの長軸に沿って螺設された雌ねじ部に雄ねじ部を螺合されて固定する中間治具固定ねじと、この中間治具固定ねじで固定された中間治具のインプラントフィクスチャーと反対側に係合されて中間治具を回転させることができる状態に保持すると共にこの中間治具に回転運動を伝達するための歯科インプラント用モーターに把持されるための歯科用バーの規格に適合した把持部を有する埋入治具本体とから成る歯科インプラント埋入用治具が使用されていた。
【０００８】
このように歯科インプラント埋入用治具においては、スクリュー型インプラントフィクスチャーの口腔内側に形成されている多角形凸部に係合しておりスクリュー型インプラントフィクスチャーの長軸に沿って螺設された雌ねじ部に雄ねじ部を螺合された中間治具固定ねじによってスクリュー型インプラントフィクスチャーと一体を成した状態の中間治具を歯科インプラント用モーターに把持されている埋入治具本体に歯科インプラント用モーターからの回転トルクを伝達できる状態で保持させて欠如歯部の顎骨内に形成された埋入孔の位置まで搬送しなければならないので埋入治具本体には中間治具を保持する手段が設けられていることが必要であり、従来の歯科インプラント埋入用治具の中間治具を保持する手段としては埋入治具本体の歯科インプラント用モーターに把持される把持柄部と反対側の端部に中間治具のスクリュー型インプラントフィクスチャーと反対側に設けられている多角形状凸部が係合される多角形状凹部においてその対向する面で挟持する金属製の線バネ又は板バネが使用されていた。
【０００９】
しかしながら、このような従来の埋入治具本体は、中間治具にその回転トルクを伝達させる強度を要求される部分である多角形状凹部に更に中間治具の保持手段を設けたものであるため、多角形状凹部を構成する部分の肉厚が必然的に厚くなってしまい、中間治具の直径よりも著しく大きな直径部分を有する構造にならざるを得ないという欠点があった。
【００１０】
このような欠点は、インプラント治療を行うに際し、スクリュー型インプラントフィクスチャーを骨の壁に接近して埋入しなければならない場合や、隣在する残存歯等に接近して埋入しなければならない場合に、埋入治具本体の中間治具の直径よりも著しく大きな直径部分を有する部分が骨の壁や隣在する残存歯等に接触してスクリュー型インプラントフィクスチャーを欠如歯部の顎骨内に形成された埋入孔内に良好に埋入できない現象を発生させることになり、このような現象を回避するためには中間治具として長さの長いものを別途用意しなければならない場合が生じていたので、中間治具として長さの異なる数種類を用意しなければならない現象を発生させていた。
更に、スクリュー型インプラントフィクスチャーを埋入する箇所が臼歯などの口腔内側に顎骨との間に充分なスペースが存在しない場合には、このような長さの長い中間治具の使用が不可能な場合が生じるという欠点も生じていたのである。
【００１１】
一方、手術時間の短縮は、創傷面の露出時間短縮に繋がり治癒状態に影響するばかりか、術者や患者の負担も軽減することになるので、予めスクリュー型インプラントフィクスチャーに中間治具が装着された状態で製品化したものが上市され、手術の時間短縮に寄与している。しかしながら、長さの長い中間治具を使用する場合には、標準長さの中間治具の取外しと新らたな長さの長い中間治具の装着の手間とが必要となり、前述の配慮が失われ、煩雑な作業となっていた。
また、埋入治具本体の中間治具の直径よりも著しく大きな直径部分を有する部分は術者の視野の阻害に関与することになるため、スクリュー型インプラントフィクスチャーの埋入に際してより注意を注ぐ必要があるため、術者の負担を増す結果ともなっていたのである。
【００１２】
【発明が解決しようとする課題】
本発明は前記従来技術の欠点を解消し、埋入治具本体に中間治具の直径よりも著しく大きな直径部分を有する部分が存在せず、欠如歯部の顎骨内に形成された埋入孔内にスクリュー型インプラントフィクスチャーを歯科インプラント用モーターを使用して埋入するのに好適な歯科インプラント埋入用治具を提供することを課題とする。
【００１３】
【課題を解決するための手段】
本発明者らは前記課題を解決すべく鋭意研究の結果、従来の埋入治具本体は中間治具にその回転トルクを伝達させる強度を要求される部分である多角形状凹部と中間治具の保持手段とが同一位置に設けられていたため、多角形状凹部を構成する部分の肉厚が必然的に厚くなってしまい、中間治具の直径よりも著しく大きな直径部分を有する構造にならざるを得ないことを究明し、埋入治具本体の構造をその回転トルクを伝達させる強度を要求される部分である多角形状凹部と中間治具の保持手段を設ける部分とを異なる位置とすれば、多角形状凹部を構成する部分の肉厚は中間治具にその回転トルクを伝達させる強度を有するだけの厚さであれば良く、中間治具の保持手段としては強度をそれほど要求されないので中間治具の多角形状凸部の口腔内側に外径がその多角形状凸部の対辺距離以下となる断面半円形の突起部が端部に設けられた円筒状部を設けることによって中間治具の直径よりも著しく大きな直径部分を設けなくて済むことを究明して本発明を完成したのである。
【００１４】
即ち本発明は、欠如歯部の顎骨内に形成された埋入孔内に埋入される部分の外周面にスクリューが設けられているスクリュー型インプラントフィクスチャーを歯科インプラント用モーターを使用して欠如歯部の顎骨内に形成された埋入孔内に埋入させるための歯科インプラント埋入用治具であって、
スクリュー型インプラントフィクスチャーの口腔内側に設けられた多角形凸部に係合する多角形凹部が形成された筒状部と、該筒状部の多角形凹部と反対側に設けられた多角形状凸部と、該多角形状凸部の口腔内側に設けられていて外径が該多角形状凸部の対辺距離以下となる断面半円形の突起部が端部に設けられた円筒状部とから成り、その全長に亘って貫通穴が形成されている中間治具と、
該中間治具の貫通穴とスクリュー型インプラントフィクスチャーの口腔内側に設けられた多角形凸部とを貫通してスクリュー型インプラントフィクスチャーの長軸に沿って螺設された雌ねじ部に雄ねじ部を螺合されて該中間治具をスクリュー型インプラントフィクスチャーに固定する頭部が該中間治具の突起部より小さな中間治具固定ねじと、
一端部に該中間治具の多角形状凸部に係合する多角形状凹部と該多角形状凹部の奥部に該多角形状凹部の対辺より大きな径の円筒状空間部とを有し、他端部に歯科用モーターに装着可能な把持柄部を有する埋入治具本体と、
内面に前記中間治具の突起部に沿う凹部を有する円筒形でその軸方向に並行なすり割り溝を有し、該すり割り溝の端面の直径が該埋入治具本体の多角形状凹部の対辺距離より大きく、該すり割り溝の設けられていない端部が該埋入治具本体の多角形状凹部の対辺距離より小さな直径を有していて該端部が該円筒状空間部の奥部に位置するように該埋入治具本体の円筒状空間部内に挿入されている中間治具保持用カラーとから成ることを特徴とする歯科インプラント埋入用治具である。
【００１５】
そして、中間治具保持用カラーは、すり割り溝の設けられていない端部が円筒形の端部を閉塞する壁面を成していると強度面での問題がなく、更にこの円筒形の端部を閉塞する壁面にビス穴が穿設されており、このビス穴に対応する埋入治具本体の円筒状空間部の奥部に中間治具保持用カラー固定用ビス用の雌ねじ部が螺設されていると中間治具保持用カラーを埋入治具本体に強固に固定できて安定化を図ることができることも究明したのである。
【００１６】
【発明の実施の形態】
以下、図面により本発明に係る歯科インプラント埋入用治具について詳細に説明する。
図１は本発明に係る歯科インプラント埋入用治具にスクリュー型インプラントフィクスチャーを保持させた状態の１実施例の右半分を断面で示した正面図、図２はスクリュー型インプラントフィクスチャーの１実施例の一部を断面で示した正面図、図３は図２の平面図、図４は本発明に係る歯科インプラント埋入用治具を構成する中間治具の１実施例の右半分を断面で示した正面図、図５は図４の平面図、図６は図４の底面図、図７は本発明に係る歯科インプラント埋入用治具を構成する中間治具固定ねじの１実施例の正面図、図８は図７の平面図、図９は本発明に係る歯科インプラント埋入用治具を構成する埋入治具本体の１実施例の右半分を断面で示した正面図、図１０は図９の底面図、図１１は本発明に係る歯科インプラント埋入用治具を構成する中間治具保持用カラーの１実施例の右半分を断面で示した正面図、図１２は図１１の底面図である。
【００１７】
図面中、１は欠如歯部の顎骨内に形成された埋入孔内に埋入される部分の外周面にスクリュー1aが設けられているスクリュー型インプラントフィクスチャーであって、その口腔内側には歯科用補綴物の固定装置を固定するためのアバットメント（図示無し）が係合される多角形凸部1cが設けられており、この口腔内側に設けられた多角形凸部1cを貫通してその長軸に沿ってアバットメントを固定するためのアバットメントスクリュー（図示無し）が螺合される雌ねじ部1bが螺設されている。また、図示したスクリュー型インプラントフィクスチャー１はセルフタップ式であるので、多角形凸部1cが設けられている端部と反対側の端部にはタッピング用の切り刃部1dが設けられている。
【００１８】
２はスクリュー型インプラントフィクスチャー１の口腔内側に設けられた多角形凸部1cに係合する多角形凹部2bが形成された筒状部2aと、この筒状部2aの多角形凹部2bと反対側に設けられた多角形状凸部2cと、この多角形状凸部2cの口腔内側に設けられていて、外径が多角形状凸部2cの対辺距離以下となる断面半円形の突起部2eが端部に設けられた円筒状部2dとから成り、その全長に貫通穴2fが形成されている中間治具である。なお、図示した実施例では、多角形状凸部2cはその円筒状部2d側にピンセット等で把持した際に脱落を防止するための凹部が形成されていると共に、貫通穴2fには後述する中間治具固定ねじ３の雄ねじ部3aが螺合された後にその雄ねじ部3aが多角形状凸部2c側に貫通することができるような雌ねじ部が螺設されている。
【００１９】
３は中間治具２の貫通穴2fとスクリュー型インプラントフィクスチャー１の口腔内側に設けられた多角形凸部1cとを貫通してスクリュー型インプラントフィクスチャー１の長軸に沿って螺設された雌ねじ部1bに雄ねじ部3aを螺合されて中間治具２をスクリュー型インプラントフィクスチャー１に固定する頭部3bが中間治具２の突起部2eより小さな中間治具固定ねじである。
この中間治具固定ねじ３の頭部3bは、ドライバー等でこの中間治具固定ねじ３を回転させることができるように、図示した実施例のようなマイナス型ドライバー用のスリワリや、プラス型ドライバー用の十字穴や、更にはスパナ用の六角形の外形状を成している。
そして前述したように中間治具２の貫通穴2fに雌ねじ部が螺設されていると、中間治具固定ねじ３はその雄ねじ部3aがこの雌ねじ部に螺合された後に貫通穴2fを貫通することになるので、中間治具固定ねじ３と中間治具２とは簡単に分離しない状態となる。
【００２０】
４は一端部に中間治具２の多角形状凸部2cに係合する多角形状凹部4aを有し、この多角形状凹部4aの奥部に多角形状凹部4aの対辺より大きな径の円筒状空間部4bを有し、他端部に歯科用モーターに装着可能な把持柄部4cを有する埋入治具本体である。
【００２１】
５は内面に中間治具２の突起部2eに沿う凹部5aを有する円筒形でその軸方向に並行なすり割り溝5bを有し、このすり割り溝5bの端面5dの直径が埋入治具本体４の多角形状凹部4aの対辺距離より大きく、すり割り溝5bの設けられていない端部5cが埋入治具本体４の多角形状凹部4aの対辺距離より小さな直径を有していて、前記端部5cが円筒状空間部4bの奥部に位置するように埋入治具本体４の円筒状空間部4b内に挿入されている中間治具保持用カラーである。このように中間治具保持用カラー５はその軸方向に並行なすり割り溝5bを有する円筒形であるから、すり割り溝5bの端面5d側はその径を縮小可能であるので、埋入治具本体４の円筒状空間部4b内への挿入はすり割り溝5bの端面5d側を縮径させることによっておこなうことができる。そして、中間治具２のスクリュー型インプラントフィクスチャー１の口腔内側に設けられた多角形凸部1cに係合する多角形凹部2bが形成された筒状部2aと反対側に設けられた円筒状部2dがこの中間治具保持用カラー５内に挿入される際、中間治具保持用カラー５のすり割り溝5bの端面側は一旦拡大されるように、埋入治具本体４の円筒状空間部4bはこれに対応できる空間寸法を確保している。
【００２２】
この中間治具保持用カラー５としては、すり割り溝5bの設けられていない端部5cが円筒形の端部を閉塞する壁面を成していると強度面での問題がなく、更にこの円筒形の端部5cを閉塞する壁面にビス穴（図示無し）が穿設されており、このビス穴に対応する埋入治具本体４の円筒状空間部4bの奥部に中間治具保持用カラー５固定用ビス用の雌ねじ部（図示無し）が螺設されていると中間治具保持用カラー５をこの中間治具保持用カラー５固定用ビス（図示無し）で埋入治具本体４に強固に固定できて安定化を図ることができるので好ましい。
【００２３】
本発明に係る歯科インプラント埋入用治具は、前記中間治具２と、中間治具固定ねじ３と、埋入治具本体４と、中間治具保持用カラー５とから構成されており、これらの材質は、中間治具２及び中間治具固定ねじ３はスクリュー型インプラントフィクスチャー１に対する汚染を考慮し、スクリュー型インプラントフィクスチャー１と同じ材質であるチタン製が好ましく、また埋入治具本体４及び埋入治具本体４の円筒状空間部4b内に装着される中間治具保持用カラー５は、強度，耐久性，耐摩耗性，腐食性，耐滅菌消毒性，耐オートクレーブ性，耐薬品性を備えたものが要求されるので、埋入治具本体４にはステンレス鋼製が、中間治具保持用カラー５には前記条件を満たした剛性樹脂製又はステンレス鋼製が好ましい。
【００２４】
前述したような構成部品から成る本発明に係る歯科インプラント埋入用治具を使用して欠如歯部の顎骨内に形成された埋入孔内に埋入される部分の外周面にスクリュー1aが設けられているスクリュー型インプラントフィクスチャー１を歯科インプラント用モーターを使用して欠如歯部の顎骨内に形成された埋入孔内に埋入する操作について次に説明する。
【００２５】
先ず、スクリュー型インプラントフィクスチャー１の口腔内側に設けられた多角形凸部1cに中間治具２の筒状部2aの端部内面に形成された多角形凹部2bを係合し、この中間治具２の筒状部2aの多角形凹部2bと反対側に設けられた多角形状凸部2cの口腔内側に設けられている円筒状部2d側から中間治具２の全長に亘って形成されている貫通穴2fとスクリュー型インプラントフィクスチャー１の口腔内側に設けられた多角形凸部1cとを貫通してスクリュー型インプラントフィクスチャー１の長軸に沿って螺設された雌ねじ部1bに中間治具固定ねじ３の雄ねじ部3aを螺合して中間治具２をスクリュー型インプラントフィクスチャー１に固定する。この際、前述したように中間治具２の貫通穴2fに雌ねじ部が螺設されている場合には、中間治具固定ねじ３の雄ねじ部3aをこの雌ねじ部に螺合した後に貫通穴2fを貫通させた状態にしてから、スクリュー型インプラントフィクスチャー１の口腔内に設けられた多角形凸部1cに中間治具２の筒状部2aの端部内面に形成された多角形凹部2bを係合する。
【００２６】
次いで、内面に中間治具２の突起部2eに沿う凹部5aを有する円筒形でその軸方向に並行なすり割り溝5bを有し、このすり割り溝5bの端面5dの直径が埋入治具本体４の多角形状凹部4aの対辺距離より大きく、すり割り溝5bの設けられていない端部5cが埋入治具本体４の多角形状凹部4aの対辺距離より小さな直径を有している中間治具保持用カラー５がその端部5cを埋入治具本体４の円筒状空間部4bの奥部に位置するように埋入治具本体４の円筒状空間部4b内に挿入されている埋入治具本体４の一端部に設けられている多角形状凹部4aを中間治具２の多角形状凸部2cに係合すると共に中間治具保持用カラー５の凹部5aに中間治具２の突起部2eを係合させて、スクリュー型インプラントフィクスチャー１付中間治具２を中間治具保持用カラー５付埋入治具本体４に保持させる。
【００２７】
しかる後、埋入治具本体４の他端部の把持柄部4cをインプラント用モーターのチャック部に把持させて患者の口腔内に移送し、このインプラント用モーターを駆動して欠如歯部の顎骨内に形成された埋入孔内にスクリュー型インプラントフィクスチャー１を埋入するのである。
【００２８】
【発明の効果】
以上に詳述した如く、本発明に係る歯科インプラント埋入用治具は、従来の欠如歯部における歯科補綴法として一般に行われてきたブリッジによる方法と床義歯による方法とに代わって、これら方法の欠点を解消する治療方法として開発され実施されるようになってきた歯科インプラントの治療を行うに際し、欠如歯部の顎骨内に形成された埋入孔内に埋入される外周面にスクリューが形成されているスクリュー型インプラントフィクスチャーを欠如歯部の顎骨内に形成された埋入孔内に埋入する治療を歯科インプラント用モーターを使用して行うに際し、埋入治具本体の中間治具にその回転トルクを伝達させる強度を要求される部分である多角形状凹部と中間治具の保持手段とを異なる位置としたことによって、従来の埋入治具本体のように中間治具の直径よりも著しく大きな直径部分が存在しないので、以下に列挙するような種々の利点を有するものであり、本発明の歯科分野に貢献する価値は非常に大きなものである。
【００２９】
インプラント治療を行うに際し、スクリュー型インプラントフィクスチャーが欠如歯部の顎骨内に所定の径の穴を穿設した後にタップを用いてメネジを形成してそのねじ穴に埋入される形式のものであってもセルフタップ式のものであっても、スクリュー型インプラントフィクスチャーを骨の壁に接近して埋入しなければならない場合や隣在する残存歯等に接近して埋入しなければならない場合に、埋入治具本体の中間治具の直径よりも著しく大きな直径部分を有する部分が骨の壁や隣在する残存歯等に接触することがないため、スクリュー型インプラントフィクスチャーを欠如歯部の顎骨内に形成された埋入孔内に良好に埋入できない現象を発生させることがない。
【００３０】
中間治具として長さの長いものを別途用意する必要がないため、１種類の中間治具を用意するだけで済むので経済的であり、また予めスクリュー型インプラントフィクスチャーに中間治具が装着された状態で製品化しておいても中間治具を長さの長い中間治具に交換するような中間治具の装着の手間が不要となり、手術時間の短縮を図ることができる。
【００３１】
スクリュー型インプラントフィクスチャーを埋入する箇所が臼歯などの口腔内側に対合歯との間に充分なスペースが存在しない場合でも、中間治具の長さが長いことに起因する埋入が不可能な場合が生じることがない。
【００３２】
埋入治具本体の中間治具の直径よりも著しく大きな直径部分を有する部分が視野の阻害して、スクリュー型インプラントフィクスチャーの埋入を行う術者の負担を増すことがない。
【００３３】
そして、中間治具保持用カラーが、すり割り溝の設けられていない端部が円筒形の端部を閉塞する壁面を成していると強度面での問題がなく、更にこの円筒形の端部を閉塞する壁面にビス穴が穿設されていてこのビス穴に対応する埋入治具本体の円筒状空間部の奥部に中間治具保持用カラー固定用ビス用の雌ねじ部が螺設されていると中間治具保持用カラーを埋入治具本体に強固に固定できて安定化を図ることができる。
【図面の簡単な説明】
【図１】本発明に係る歯科インプラント埋入用治具にスクリュー型インプラントフィクスチャーを保持させた状態の１実施例の右半分を断面で示した正面図である。
【図２】スクリュー型インプラントフィクスチャーの１実施例の一部を断面で示した正面図である。
【図３】図２の平面図である。
【図４】本発明に係る歯科インプラント埋入用治具を構成する中間治具の１実施例の右半分を断面で示した正面図である。
【図５】図４の平面図である。
【図６】図４の底面図である。
【図７】本発明に係る歯科インプラント埋入用治具を構成する中間治具固定ねじの１実施例の正面図である。
【図８】図７の平面図である。
【図９】本発明に係る歯科インプラント埋入用治具を構成する埋入治具本体の１実施例の右半分を断面で示した正面図である。
【図１０】図９の底面図である。
【図１１】本発明に係る歯科インプラント埋入用治具を構成する中間治具保持用カラーの１実施例の右半分を断面で示した正面図
【図１２】図１１の底面図である。
【符号の説明】
１  スクリュー型インプラントフィクスチャー
1a  スクリュー
1b  雌ねじ部
1c  多角形凸部
1d  タッピング用の切り刃部
２  中間治具
2a  筒状部
2b  多角形凹部
2c  多角形状凸部
2d  円筒状部
2e  断面半円形の突起部
2f  貫通穴
３  中間治具固定ねじ
3a  雄ねじ部
3b  頭部
４  埋入治具本体
4a  多角形状凹部
4b  円筒状空間部
4c  把持柄部
５  中間治具保持用カラー
5a  凹部
5b  すり割り溝
5c  端部
5d  端面
【図１】
0004108217.tif 000002
【図２】
0004108217.tif 000003
【図３】
0004108217.tif 000004
【図４】
0004108217.tif 000005
【図５】
0004108217.tif 000006
【図６】
0004108217.tif 000007
【図７】
0004108217.tif 000008
【図８】
0004108217.tif 000009
【図９】
0004108217.tif 000010
【図１０】
0004108217.tif 000011
【図１１】
0004108217.tif 000012
【図１２】
0004108217.tif 000013